(57)【要約】【課題】電車の混雑度を適切に提供する。【解決手段】情報提供装置１は、電車の識別子と、当該電車の混雑度とを対応づけた混雑度データ１１が記憶された記憶装置１０と、出発駅、到着駅、出発可能時刻および到着可能時刻を含む検索条件データ１４を取得する検索条件取得手段２３と、検索条件データ１４に基づいて、出発可能時刻以降に出発駅を出発し、到着可能時刻以前に到着駅に到着する電車を検索し、混雑度データ１１から、検索された電車の識別子に対応する混雑度を取得し、検索された電車の識別子と、取得した混雑度とを対応づけた検索結果データ１６を出力する経路検索手段２４を備える。【選択図】図１
2013035411.tif 000002
【特許請求の範囲】
【請求項１】
電車の識別子と、当該電車の混雑度とを対応づけた混雑度データが記憶された記憶装置と、
出発駅、到着駅、出発可能時刻および到着可能時刻を含む検索条件データを取得する検索条件取得手段と、
前記検索条件データに基づいて、前記出発可能時刻以降に前記出発駅を出発し、前記到着可能時刻以前に前記到着駅に到着する電車を検索し、前記混雑度データから、検索された電車の識別子に対応する混雑度を取得し、検索された電車の識別子と、取得した混雑度とを対応づけた検索結果データを出力する経路検索手段
を備えることを特徴とする情報提供装置。
【請求項２】
前記混雑度データは、電車から取得した混雑度を含む実績混雑度データと、運行予定の電車の混雑度を含む予想混雑度データと、を含み、
前記経路検索手段は、前記電車から混雑度を取得できる場合、前記実績混雑度データから当該電車の混雑度を取得し、前記電車から混雑度を取得できない場合、前記予想混雑度データから当該電車の混雑度を取得する
ことを特徴とする請求項１に記載の情報提供装置。
【請求項３】
前記経路検索手段は、前記出発可能時刻以降に前記出発駅を出発し、前記到着可能時刻以前に前記到着駅に到着する複数の電車を検索し、前記混雑度の少ない電車を優先的に出力する
ことを特徴とする請求項１または２に記載の情報提供装置。
【請求項４】
前記混雑度データの混雑度は、前記電車の識別子および当該電車の車両の識別子に対応づけられ、
前記経路検索手段は、前記検索された電車の識別子に、前記電車の車両ごとの混雑度を対応づけて前記検索結果データを出力する
ことを特徴とする請求項１ないし３のいずれか１項に記載の情報提供装置。
【請求項５】
駅に設置され、到着予定の電車の情報を表示する表示板に、前記電車の車両ごとの混雑度を表示する表示板出力手段
をさらに備えることを特徴とする請求項１ないし４のいずれか１項に記載の情報提供装置。
【請求項６】
コンピュータを、
出発駅、到着駅、出発可能時刻および到着可能時刻を含む検索条件データを取得する検索条件取得手段と、
前記検索条件データに基づいて、前記出発可能時刻以降に前記出発駅を出発し、前記到着可能時刻以前に前記到着駅に到着する電車を検索し、電車の識別子と当該電車の混雑度とを対応づけた混雑度データから、検索された電車の識別子に対応する混雑度を取得し、検索された電車の識別子と、取得した混雑度とを対応づけた検索結果データを出力する経路検索手段
として機能させるための情報提供プログラム。
【発明の詳細な説明】
【技術分野】
【０００１】
本発明の実施形態は、情報提供装置および情報提供プログラムに関する。
【背景技術】
【０００２】
一般的に、鉄道会社は、顧客サービス向上のため、鉄道の混雑の緩和を重要な課題ととらえている。そこで、鉄道会社は、鉄道の混雑度を公表し、利用者に混雑した列車の利用を回避するよう促している。鉄道会社は、最混雑区間における最混雑時間帯の混雑率、終日の混雑率、過去の混雑率の実績などを公表する。
【先行技術文献】
【特許文献】
【０００３】
【特許文献１】特開２００５−１８６７８３号公報
【発明の概要】
【発明が解決しようとする課題】
【０００４】
一方、電車の混雑は、急行と各駅停車で異なり、また、電車の車両によっても異なることが知られている。また、同じ時間帯の列車でも、始発駅などによって、鉄道の混雑が大きく異なる場合がある。
【０００５】
そこで、より適切に電車の混雑度を、より顧客が活用しやすい形で提供することが期待されている。
【０００６】
従って本発明の目的は、電車の混雑度を適切に提供することができる情報提供装置および情報提供プログラムを提供することである。
【課題を解決するための手段】
【０００７】
上記課題を解決するために、本発明の実施形態に係る情報提供装置は、電車の識別子と、当該電車の混雑度とを対応づけた混雑度データが記憶された記憶装置と、出発駅、到着駅、出発可能時刻および到着可能時刻を含む検索条件データを取得する検索条件取得手段と、検索条件データに基づいて、出発可能時刻以降に出発駅を出発し、到着可能時刻以前に到着駅に到着する電車を検索し、混雑度データから、検索された電車の識別子に対応する混雑度を取得し、検索された電車の識別子と、取得した混雑度とを対応づけた検索結果データを出力する経路検索手段を備える。
【図面の簡単な説明】
【０００８】
【図１】実施の形態に係る情報提供装置の機能ブロック図である。
【図２】実施の形態に係る情報提供装置が用いられる情報提供システムを説明する図である。
【図３】実施の形態に係る情報提供装置の実績混雑度データのデータ構造とデータの一例を説明する図である。
【図４】実施の形態に係る情報提供装置の予想混雑度データのデータ構造とデータの一例を説明する図である。
【図５】実施の形態に係る情報提供装置が提供した混雑度を表示する表示板を説明する図である。
【図６】実施の形態に係る情報提供装置における経路検索処理を説明するフローチャートである。
【図７】実施の形態に係る情報提供装置がユーザ端末に表示する条件入力画面の一例である。（その１）
【図８】実施の形態に係る情報提供装置がユーザ端末に表示する検索結果表示画面の一例である。（その１）
【図９】実施の形態に係る情報提供装置がユーザ端末に表示する条件入力画面の一例である。（その２）
【図１０】実施の形態に係る情報提供装置がユーザ端末に表示する検索結果表示画面の一例である。（その２）
【発明を実施するための形態】
【０００９】
次に、図面を参照して、本発明の実施の形態を説明する。以下の図面の記載において、同一または類似の部分には同一または類似の符号を付している。
【００１０】
実施の形態に係る情報提供装置１は、電車の混雑度をユーザに提供する。具体的には、情報提供装置１は、運行中の電車の混雑度や、運行予定の電車の混雑度を取得する。情報提供装置１は、ユーザが、電車の経路を検索した際、取得した混雑度も併せて表示する。情報提供装置１は、駅のホームに設けられた表示板４に、電車の混雑度を表示しても良い。
【００１１】
本発明の実施の形態において、運行中の電車とは、混雑度を実測可能な電車であって、例えば、電車が運行予定区間の始発駅を既に出発している状態で、情報提供装置１が混雑度の実測値を取得できる場合を言う。ここで、まだ始発駅を出発しておらず、始発駅で乗客の乗車を待機している電車も、運行中の電車としても良い。一方、運行予定の電車とは、混雑度を実測不可能な電車であって、例えば、運行することが予め定められているが、その運行予定区間の始発駅をまだ出発していない状況を言う。
【００１２】
図１に示すように情報提供装置１は、記憶装置１０、中央処理制御装置２０および通信制御装置３０を備える一般的なコンピュータである。情報提供装置１は、コンピュータに、所定の処理を実行するプログラムがインストールされ、実行されることにより実現される。
【００１３】
情報提供装置１は、図２に示す情報提供システム８に用いられる。情報提供システム８は、情報提供装置１、業務端末２、混雑度提供装置３、表示板４ａ、４ｂ、ユーザ端末５ａ、５ｂ、５ｃ、電車７ａ、７ｂなどを備える。情報提供装置１、業務端末２、混雑度提供装置３、表示板４ａ、４ｂ、ユーザ端末５ａ、５ｂおよび５ｃは、通信ネットワーク６を介して相互に通信可能に接続される。通信ネットワーク６は、インターネットなどのパブリックネットワークでも良いし、ＬＡＮなどのプライベートネットワークでも良いし、これらの組み合わせでも良い。
【００１４】
実施の形態において、表示板４ａおよび４ｂを特に区別しない場合、単に表示板４と記載する場合がある。また、ユーザ端末５ａ、５ｂおよび５ｃを特に区別しない場合、単にユーザ端末５と記載する場合がある。
【００１５】
業務端末２は、一般的なコンピュータに、所定のプログラムがインストールされ実行されることによって実現される。業務端末２は、将来の電車の混雑度を想定し、日次、月次、年次単位などで予想混雑度データを生成する。予想混雑度データは、例えば、過去の混雑度の実績データや、その実績データの集計データなどから生成される。予想混雑度データは、将来の日時と電車の識別子に対応する混雑度を含む。混雑度は、電車の車両および走行区間に対応する混雑度であっても良いし、座席に座れるか否かを示すデータを含んでも良い。業務端末２は、生成した予想混雑度データを、情報提供装置１に送信する。
【００１６】
混雑度提供装置３は、電車の混雑度を、電車７から取得し、電車の識別子とその混雑度とを対応づけた実績混雑度データを生成する。混雑度は、電車の車両および走行区間に対応する混雑度であっても良いし、座席に座れるか否かを示すデータを含んでも良い。混雑度提供装置３は、生成した実績混雑度データを、情報提供装置１に送信する。
【００１７】
業務端末２が提供する予想混雑度データと、混雑度提供装置３が提供する実績混雑度データとの算出方法は、問わない。例えば、電車の車両ごとに重量センサを装備することにより、混雑度提供装置３は、各車両の重量から混雑度を算出することができる。また、予め電車の各座席にセンサを設けることにより、混雑度提供装置３は、電車の各座席の着席状況を取得することができる。また、混雑度提供装置３は、応荷重装置、ひずみゲージを利用して、電車の混雑度を取得しても良い。また、駅の自動改札におけるＩＣカードによって、駅の入出情報を取得することにより、混雑度提供装置３は、駅の混雑度を取得するとともに、電車の混雑度を取得することもできる。また、業務端末２は、このように取得された混雑度の実績から、車両ごとに予想混雑度を算出したり、座席の着席状況などを取得することができる。
【００１８】
ユーザ端末５は、ユーザが利用する情報通信機器であって、例えば、携帯電話機、パソコン、スマートフォンなどである。ユーザ端末５は、混雑度を取得する条件などが入力されると、その条件を情報提供装置１に入力する。またユーザ端末５は、情報提供装置１から混雑度などの情報を受信すると、表示装置に表示してユーザ認識させる。
【００１９】
表示板４は、  駅に設置され、到着予定の電車の情報を表示する。表示板４は、例えば、駅の構内やホームに設置された運行案内板などであって、電車の混雑度を表示し、ユーザに認識させる。表示板４は例えば、次に来る電車とその次に来る電車の到着時刻および行き先を表示するとともに、各電車の混雑度を表示する。
【００２０】
表示板４は、電気的な制御によって表示内容を動的に変更できるものである。表示板４は例えば液晶ディスプレイであって、コンピュータなどの制御によって表示内容が変更される。また、表示板４は例えば、電気的に制御される複数のパネルで構成され、コンピュータなどの制御によって適切な表示内容に変更されても良い。
【００２１】
図１を参照して、実施の形態に係る情報提供装置１を説明する。情報提供装置１の記憶装置１０は、混雑度データ１１、検索条件データ１４、経路時刻表データ１５、検索結果データ１６を記憶する。これらのデータは、後述する中央処理制御装置２０の各処理によって生成または参照される。さらに記憶装置１０は、実施の形態に係る情報提供装置１を実現するための情報提供プログラムを記憶する。記憶装置１０に記憶された情報提供プログラムが実行されることによって、中央処理制御装置２０に、収集手段２１、表示板出力手段２２、検索条件取得手段２３、経路検索手段２４および検索結果送信手段２５が実装される。
【００２２】
収集手段２１は、混雑度データ１１を取得し、取得した混雑度データ１１を記憶装置１０に記憶する。この混雑度データ１１は、電車の識別子と、当該電車の混雑度とを対応づけたデータである。混雑度データ１１は、電車の識別子および電車の車両の識別子に、混雑度が対応づけられても良い。混雑度データ１１は、電車７から取得した混雑度を含む実績混雑度データ１２と、運行予定の電車の混雑度を含む予想混雑度データ１３と、を含む。なお、実施の形態において混雑度提供装置３が電車７の混雑度を算出し、情報提供装置１は、混雑度提供装置１から電車７の混雑度を取得する場合を説明する。
【００２３】
実績混雑度データ１２は、例えば既に運行している電車の混雑度を示すデータで、混雑度提供装置３から受信する。実績混雑度データ１２は、図３に示すように、電車識別子、区間および電車の車両に、混雑度を対応づけたデータである。電車の識別子は、電車を識別する。区間は、電車が既に運行した区間の少なくとも一部を示す。図３に示す例では、区間として、駅の区間が設定される。
【００２４】
予想混雑度データ１３は、将来運行予定の電車の混雑度を示すデータで、業務端末２から受信する。予想混雑度データ１３は、図４に示すように、予想時間、電車の識別子、区間および電車の車両に、混雑度を対応づけたデータである。予想時間は、その時間の運行予定の時間帯である。図４に示す例では、予想時間に、通常の電車の運行の時刻表に基づいて、「平日」または「休日」が設定される。また、日ごとに電車の運行が変更する場合、予想時間として、日や時間が設定されても良い。また、予想混雑度データ１３は、日次、月次、年次単位で生成されても良い。
【００２５】
このように、実施の形態に係る混雑度データ１１は、実績混雑度データ１２および予想混雑度データを含む。従って、実施の形態に係る情報提供装置１は、ラッシュ時や輸送障害の発生時など、時々刻々と変化する混雑状況に対応した混雑度をリアルタイムに提供するとともに、予想された混雑度も提供することができる。また、混雑度提供装置３から電車の各座席の着席状況を取得した場合、実績混雑度データ１２および予想混雑度データ１３には、座席に着床可能か否かを示すデータが含まれる。その場合情報提供装置１は、座席に着席可能か否かも併せて、出力することもできる。
【００２６】
図３および図４に示す例においては、実績混雑度データ１２および予想混雑度データ１３は、電車の運行区間および車両ごとの混雑度を含む場合を説明するが、この例に限られない。例えば、区間や車両ごとの混雑度を考慮せず、単に電車ごとの混雑度のみを示すデータであっても良い。
【００２７】
表示板出力手段２２は、表示板４に、電車の混雑度を表示する。表示板出力手段２２は、駅などに設けられた表示板４に、電車の案内とともに、電車の混雑度を表示する。さらに表示板出力手段２２は、電車の車両ごとの混雑度を表示しても良い。
【００２８】
表示板出力手段２２は、図５に示すように、表示板４に電車の混雑度を表示する。図５に示す例において表示板４は、電車の運行情報で、先発電車と次発電車との出発時間や、急行／快速／各駅停車の別などを表示する。さらに、この表示板４は、駅のホームで電車を待機する客に、次に到着する電車と、さらにその次に到着する電車の情報を告知する。この際、表示板出力手段２２は、表示板４の設置された駅の識別子、表示板４に表示される電車の識別子に基づいて、実績混雑度データ１２または予想混雑度データ１３からこれらの電車の混雑度を取得する。
【００２９】
表示板出力手段２２は、表示板４に表示する電車の混雑度について、実績の混雑度を取得可能な場合、実績混雑度データ１２から実績に基づく電車の混雑度を取得する。一方、実績の混雑度を取得できなかった場合、表示板出力手段２２は、予想混雑度データ１３から予想に基づく電車の混雑度を取得する。例えば、表示板４が設置された駅が、電車の始発駅である場合、この電車の混雑度は、予想混雑度データ１３から出力される。また、表示板４に表示される駅が既に運行している場合、この電車の混雑度は、実績混雑度データ１２から出力される。
【００３０】
さらに表示板出力手段２２は、取得した混雑度を、電車の識別子と対応づけて、表示板４に送信する。表示板４は、情報提供装置１から送信された混雑度を、電車の識別子と対応づけて表示する。表示板出力手段２２は、電車の車両ごとの混雑度を取得して、表示板４に送信しても良い。
【００３１】
図３および図４に示す例において、混雑度をパーセンテージで表記しているが、どのような表記でも問わない。例えば、混雑度を、Ａランク、Ｂランクなどのランクで表記しても良い。また、実施の形態において、混雑度算出方法や判断基準も問わない。
【００３２】
検索条件取得手段２３は、ユーザが出発駅から到着駅までの電車の乗換を検索する場合の検索条件データ１４を、ユーザ端末５から取得して、記憶装置１０に記憶する。この検索条件データ１４は、出発駅、到着駅、出発可能時刻および到着可能時刻を含む。出発駅および到着駅は、ユーザが電車を乗車する区間を示す。出発可能時刻は、ユーザが乗換を開始可能な最も早い時刻であって、例えば、ユーザが出発駅に到着可能な時刻である。到着可能時刻は、ユーザが目的地に到着を希望する最も遅い時刻である。
【００３３】
ユーザは、電車の乗換について検索条件を入力する際、出発駅に到着する最も早い時刻と、到着駅に到着する最も遅い時刻とを入力する。ユーザは、出発可能時刻から到着可能時刻間に電車で乗換可能な経路を検索することができる。
【００３４】
さらに検索条件データ１４は、複数の経路が検索された場合、複数の経路から所定数を優先して出力するための優先項目を含んでも良い。優先項目として、所要時間、料金、混雑度、到着時間、乗換回数などが考えられる。情報提供装置１は、優先項目として設定された項目の値が良い乗換候補データを、優先的に出力する。例えば、検索条件データ１４に、優先項目として「混雑度」が含まれている場合、情報提供装置１は、混雑度のより低い電車の乗換候補データを、優先的に出力する。
【００３５】
また、検索条件データ１４に、経由駅、有料特急フラグ、乗換回数の制限数、表示件数が設けられていても良い。経由駅は、出発駅から到着駅まで移動する経路上の駅である。実施の形態において経由駅に、電車が停車してもしなくても良い。有料特急フラグは、経路検索で割り当てる電車に、有料特急を含めるか否かのフラグである。乗換回数の制限数は、経路検索の乗換の最大数である。表示件数は、検索結果として表示される件数である。優先項目として設定された項目の値が良い乗換データのうち、上位から表示件数で指定された数の乗換候補データを、情報提供装置１は出力する。
【００３６】
経路検索手段２４は、検索条件データ１４に基づいて、出発可能時刻以降に出発駅を出発し、到着可能時刻以前に到着駅に到着する電車を検索する。さらに経路検索手段２４は、混雑度データ１１から、検索された電車の識別子に対応する混雑度を取得し、検索された電車の識別子と、取得した混雑度とを対応づけた検索結果データ１６を出力する。ここで経路検索手段２４は、電車７から混雑度を取得できる場合、実績混雑度データ１２から当該電車の混雑度を取得し、電車７から混雑度を取得できない場合、予想混雑度データ１３から当該電車の混雑度を取得する。電車７から混雑度を取得できる場合とは、例えば電車７が既に始発駅を出発して運行中であって、実際の電車７の混雑度を、情報提供装置１が取得できる場合である。
【００３７】
ここで経路検索手段２４は、出発可能時刻以降に出発駅を出発し、到着可能時刻以前に到着駅に到着する複数の電車を検索し、混雑度の少ない電車を優先的に出力しても良い。また経路検索手段２４は、検索された電車の識別子に、電車の車両ごとの混雑度を対応づけて検索結果データ１６を出力しても良い。経路検索手段２４は、検索結果データ１６を記憶装置１０に記憶する。
【００３８】
経路検索手段２４は、検索条件データ１４に合致する電車を検索する。出発駅から到着駅までの移動に利用する電車として、経路検索手段２４が検索する電車の数は、一つの場合もあれば複数の場合もある。例えば、出発駅と到着駅とが同じ路線上にない場合や、各駅停車と急行の電車を混合する場合などは、複数の電車を乗り継いで出発駅から到着駅まで移動する経路を出力する場合がある。
【００３９】
経路検索手段２４は、経路時刻表データ１５を参照して、出発駅から到着駅まで移動する経路を出力する。経路時刻表データは、電車ネットワークに関するデータと、電車時刻表に関するデータを含む。電車ネットワークに関するデータは、電車の路線、路線上の駅、乗換可能な駅および路線などである。電車時刻表に関するデータは、電車の識別子、路線、停車駅、到着時刻などを対応づけたデータである。経路検索手段２４は、既存のアルゴリズムに基づいて、経路時刻表データを参照し、経路条件データに合致する経路を出力する。実施の形態において、経路検索のための具体的な手法は、問わない。
【００４０】
図６を参照して経路検索手段２４による経路検索処理を説明する。図６に示す経路検索処理は一例であって、経路検索アルゴリズムによっては異なる場合もある。
【００４１】
まず、ステップＳ１０１において経路検索手段２４は、記憶装置１０から検索条件データ１４を読み出し、検索条件を取得する。この検索条件は、経路を検索する際の出発駅、到着駅、出発可能時刻および到着可能時刻である。また検索条件に、優先して出力する経路を決定するための、優先項目が含まれても良い。ここで、出発駅を「Ａ駅」、到着駅を「Ｂ駅」とする。
【００４２】
まず、ステップＳ１０２において経路検索手段２４は、出発駅から到着駅までの経路を検索する。ここで経路検索手段２４は、経路時刻表データ１５の電車ネットワークに関するデータを参照して、Ａ駅からＢ駅まで電車で移動する際、乗り継ぐ電車の種別を特定する。例えば、Ａ駅からＢ駅に移動する際、Ｃ駅で乗り換える必要がある場合、経路検索手段２４は、Ａ駅−Ｃ駅−Ｂ駅という経路を特定する。さらに、Ｄ駅で乗り換えても移動できる場合、経路検索手段２４は、Ａ駅−Ｄ駅−Ｂ駅という経路を特定する。このように経路検索手段２４は、Ａ駅からＢ駅に移動可能な経路を特定する。
【００４３】
さらにステップＳ１０３において経路検索手段２４は、ステップＳ１０２で検索した経路について、ステップＳ１０３ないしステップＳ１０６の処理を繰り返す。
【００４４】
ステップＳ１０３において経路検索手段２４は、ステップＳ１０２で検索した一つの経路について、経路時刻表データ１５の電車時刻表データに関するデータを参照して、電車の時刻を割り当てる。ここで経路検索手段２４は、出発可能時刻以降に出発駅を出発し、到着可能時刻以前に到着駅に到着する電車の組み合わせを、検索する。経路検索手段２４は、経路と各駅の電車の時刻とを対応づけて、乗換候補データを生成する。
【００４５】
ここで、一つの経路において、複数のパターンの電車が割り当てられる場合がある。例えば、Ａ駅からＣ駅を経由してＢ駅まで移動するために要する時間が、出発可能時刻から到着可能時刻までの時間より短い場合、経路のいずれかにおいて、待ち時間が発生する。この場合、経路検索手段２４は、それぞれのパターンについて、経路と、各駅の電車の時刻とを対応づけて、乗換候補データを出力する。
【００４６】
例えば、出発駅を出発可能時刻の直後に出発するとともに早く到着駅に到着し、到着駅で待ち時間を過ごす場合が考えられる。この場合、経路検索手段２４は、Ａ駅を出発可能時刻の直後に発車する電車に乗車してＣ駅まで移動し、Ｃ駅で到着後すぐに出発する電車に乗車してＢ駅まで移動するように、電車の時刻を割り当てる。
【００４７】
また、出発駅を出発可能時刻の直後に出発し、到着駅を到着可能時刻の直前に到着するように、途中の経由駅で待ち時間を過ごす場合が考えられる。この場合、経路検索手段２４は、Ａ駅を出発可能時刻の直後に発車する電車に乗車してＣ駅まで移動し、Ｂ駅に到着可能時刻の直前に到着する電車にＣ駅で乗車してＢ駅まで移動するように、電車の時刻を割り当てる。
【００４８】
出発駅を遅く出発するとともに到着駅を到着可能時刻の直前に到着し、出発駅で待ち時間を過ごす場合が考えられる。この場合、経路検索手段２４は、Ｂ駅に到着可能時刻に到着する電車がＣ駅を出発する直前にＣ駅に到着する電車にＡ駅で乗車してＣ駅まで移動し、Ｂ駅に到着可能時刻の直前に到着する電車にＣ駅で乗車してＢ駅まで移動するように、電車の時刻を割り当てる。
【００４９】
ここでは、Ａ駅、Ｂ駅、Ｃ駅のいずれかで待ち時間を過ごす場合を説明したが、いずれか２以上の駅で待ち時間を過ごす場合や、待ち時間が発生しない場合も考えられる。例えば、電車が頻繁に運行している路線の場合、Ａ駅でも、Ｂ駅でも、Ｃ駅でも待ち時間が発生するように、電車の時刻を割り当てる場合も考えられる。
【００５０】
経路検索手段２４は、ステップＳ１０３において、ステップＳ１０２で特定された経路について、出発可能時刻以降に出発駅を出発し、到着可能時刻以前に到着駅に到着する電車の組み合わせを検索すると、乗換候補データに記憶する。
【００５１】
さらに、ステップＳ１０３で取得した乗換候補データのそれぞれの電車の組み合わせにおける各電車について、経路検索手段２４は、ステップＳ１０４において、当該電車の混雑度の実績を実績混雑度データ１２から取得できるか否かを判定する。実績混雑度データ１２から取得できる場合、経路検索手段２４はステップＳ１０５において、実績混雑度データ１２からこの電車の混雑度を取得し、乗換候補データに電車と混雑度とを対応づけて記憶する。一方、実績混雑度データ１２から取得できない電車の場合、経路検索手段２４はステップＳ１０６において、予想混雑度データ１３からこの電車の混雑度を取得し、乗換候補データに電車と混雑度とを対応づけて記憶する。
【００５２】
ここで、Ａ駅からＣ駅に移動する電車と、Ｃ駅からＢ駅に移動する電車とを乗り継いでＡ駅からＢ駅を移動する場合、経路検索手段２４は、Ａ駅からＣ駅に移動する電車と、Ｃ駅からＢ駅に移動する電車のそれぞれについて、実績混雑度データ１２または予想混雑度データ１３のいずれかを割り当てる。
【００５３】
ステップＳ１０３で生成した乗換候補データの全ての電車についてステップＳ１０４ないしステップＳ１０６の処理が終了すると、経路検索手段２４は、ステップＳ１０２で検索した他の経路のうちの一の経路について、ステップＳ１０３ないしステップＳ１０６の処理を繰り返す。ステップＳ１０２で検索した全ての経路について、ステップＳ１０３ないしステップＳ１０６の処理が終了すると、ステップＳ１０７に進む。
【００５４】
ステップＳ１０７において経路検索手段２４は、ステップＳ１０１で取得した検索条件に優先項目が含まれている場合、全ての経路について、ステップＳ１０３で生成した乗換候補データを、優先項目でソートする。例えば、優先項目が「混雑度」の場合、経路検索手段２４は、全ての経路の乗換候補データのうち、混雑度の低い順に、乗換候補データをソートする。
【００５５】
ここで乗換候補データにおいて一の電車のみ利用する場合、その電車の混雑度に基づいて、乗換候補データがソートされる。この際、情報提供装置１が車両ごとの混雑度を把握可能な場合、一つの電車の車両のうち最も低い混雑度に基づいて、乗換候補データがソートされても良い。一方、一つの電車の車両の全ての混雑度を平均した値に基づいて、乗換候補データがソートされても良い。一方複数の電車を利用する場合、複数の電車の各混雑度の平均値や、中央値、最大値などに基づいて、乗換候補データがソートされても良い。情報提供装置１が車両ごとの混雑度を把握可能な場合、一つの電車の車両のうち最も低い混雑度を取得し、複数の電車の各混雑度の平均値や、中央値、最大値などに基づいて、乗換候補データがソートされても良い。このように、優先項目が「混雑度」と設定された場合、乗換候補データを混雑度を用いてソートする具体的な方法として、様々な方法が考えられる。
【００５６】
ステップＳ１０８において経路検索手段２４は、ステップＳ１０７でソートされた乗換候補データから、優先項目の数値の高い順に所定数の乗換候補データを抽出する。例えば、優先項目が「混雑度」の場合、経路検索手段２４は、混雑度の低い所定数の乗換候補データを抽出する。ステップＳ１０９において経路検索手段２４は、ステップＳ１０８で抽出した所定数の乗換候補データを、検索結果データ１６として出力し、記憶装置１０に記憶する。
【００５７】
このように、経路検索手段２４は、出発可能時刻以降に出発駅を出発し、到着可能時刻以前に到着駅に到着する電車の組み合わせを検索し、ユーザが指定した優先項目の値が高い所定数の乗換候補データを、検索結果データ１６として出力する。これにより経路検索手段２４は、移動に要する時間が増えても、混雑の少ない電車を選択しつつ、ユーザの出発可能時刻および到着可能時刻を厳守する電車の乗換を出力することができる。
【００５８】
検索結果送信手段２５は、検索条件を入力したユーザ端末５に、検索結果データ１６を送信する。ユーザ端末５は、情報提供装置１から送信された検索結果データを表示装置に表示し、ユーザに認識させる。
【００５９】
図７ないし図１０を参照して、情報提供装置１がユーザ端末５に表示する画面の一例を説明する。図７および図９は、ユーザ端末５から情報提供装置１に検索条件を入力する画面の一例であって、図８および図１０は、その検索結果を表示する画面の一例である。
【００６０】
図７および図８を参照して、ユーザが検索条件を入力し、その結果を表示する画面を説明する。図７は、ユーザが検索条件を入力する条件入力画面Ｐ１０１の一例である。条件入力画面Ｐ１０１は、出発駅および到着駅をそれぞれ入力するテキストボックスと、出発可能時刻および到着可能時刻をそれぞれ入力するコンボボックスとを備える。図７に示す条件入力画面Ｐ１０１はさらに、経由駅を入力するテキストボックス、有料特急フラグ、乗換回数の制限数、表示件数を入力するコンボボックス、優先項目を指定するチェックボックスが設けられても良い。ここで優先項目はチェックボックスの形式であるので、ユーザは、複数の優先項目を指定することができる。この場合情報提供装置１は、指定された複数の優先項目を複合的に考慮した経路を検索結果として出力しても良い。
【００６１】
ユーザは、条件入力画面Ｐ１０１に所望の経路を検索するための条件を入力する。その後、ユーザがユーザ端末５の入力装置を介して検索ボタンを押下すると、ユーザ端末５は、条件入力画面Ｐ１０１に設定された検索条件を、情報提供装置１に送信する。
【００６２】
情報提供装置１は、出発可能時刻以降に出発駅を出発し、到着可能時刻以前に到着駅に到着する電車の組み合わせを検索し、ユーザが指定した優先項目の値が高い所定数の乗換候補データを、検索結果データ１６として出力する。図７に示す例では、優先項目として、所要時間および料金がチェックされ、表示件数として３件が指定されているので、情報提供装置１は、所要時間が短く、料金が安い３件の乗換候補データを、検索結果データ１６として出力する。情報提供装置１は、検索結果データ１６に基づいて図８に示す検索結果表示画面Ｐ１０２を生成して、ユーザ端末５に表示する。
【００６３】
図７に示す例の検索条件は、出発駅がＡ駅、到着駅がＢ駅、経由駅がＣ駅、出発可能時刻が７：１５、到着可能時刻が８：３０、優先項目が、所要時間および料金で、有料特急は使わず、乗換回数は多くても良く、また表示件数は３件である。検索ボタンが押下されると、情報提供装置１は、この検索条件を満たす経路を検索する。
【００６４】
検索結果表示画面Ｐ１０２は、Ａ駅からＣ駅を経由してＢ駅に到着する経路について、乗換の候補１から候補３まで３件の検索結果をタブで表示する。図８に示す検索結果表示画面Ｐ１０２は、候補１のタブが選択されているので、候補１の検索結果を表示する。
【００６５】
図８に示す候補１の検索結果は、Ｄ線の各駅停車の電車を使って、Ａ駅を７：２０に出発し、Ｃ駅に７：４０に到着するとともに、Ｅ線の電車を使って、Ｃ駅を７：４２に出発し、Ｂ駅に８：００に到着する経路を表示する。また、Ａ駅からＣ駅まで移動する電車と、Ｃ駅からＢ駅まで移動する電車のそれぞれについて、混雑度が表示されている。図８に示す例において、２車両ごとの混雑度が表示され、また混雑度に応じて、背景がハッチングされている。
【００６６】
図８に示すような検索結果表示画面Ｐ１０２によれば、ユーザは、所望の経路の情報を取得できるとともに、各電車の混雑度も把握することができる。また、検索結果表示画面Ｐ１０２に表示される複数の候補のうち、混雑度の低い電車を選択することもできる。またユーザは、同じ電車でも混雑度の低い車両を特定することができる。従って、ユーザは、混雑度の低い車両を選択して乗車することができるので、比較的快適に移動できるとともに、車両ごとの混雑度の偏りを低減することができる。
【００６７】
図９は、図７と同様に、ユーザが検索条件を入力する条件入力画面Ｐ２０１の一例である。図９に示す条件入力画面Ｐ２０１の各項目は、図７と同様であるが、条件が異なる。図９に示す条件入力画面Ｐ２０１には、優先項目として、料金および混雑度がチェックされている。従って、図９に示すような条件入力画面Ｐ２０１において検索ボタンが押下されると、情報提供装置１は、料金が安く、混雑度の低い３件の乗換候補データを、検索結果データ１６として出力する。情報提供装置１は、検索結果データ１６に基づいて図１０８に示す検索結果表示画面Ｐ２０２を生成して、ユーザ端末５に表示する。
【００６８】
図９に示す例の検索条件は、出発駅がＡ駅、到着駅がＢ駅、経由駅がＣ駅、出発可能時刻が７：１５、到着可能時刻が８：３０、優先項目が、料金および混雑度で、有料特急は使わず、乗換回数は多くても良く、また表示件数は３件である。検索ボタンが押下されると、情報提供装置１は、この検索条件を満たす経路を検索する。
【００６９】
図１０に示す候補１の検索結果は、Ｄ線の各駅停車の電車を使って、Ａ駅を７：３０に出発し、Ｃ駅に８：００に到着するとともに、Ｅ線の電車を使って、Ｃ駅を８：０５に出発し、Ｂ駅に８：３０に到着する経路を表示する。さらに検索結果表示画面Ｐ２０２は、各電車について２車両ごとの混雑度を表示する。
【００７０】
図１０は、料金および混雑度を優先項目として乗換候補データをソートしている。従って、図１０に示す候補１の検索結果は、図８に示す候補１の検索結果に比べて、所要時間は長いものの、全般的に混雑度の低い電車である。
【００７１】
一般的にユーザは、階段やエスカレータ近くなどの乗換のしやすさを基準に、あるいは、自己の経験に基づく混雑度を基準に、乗車する電車やその位置を選択していた。本発明の実施の形態に係る情報提供装置が、優先項目として混雑度を考慮して経路を検索することにより、ユーザは、出発可能時刻および到着可能時刻を満たす電車であって、より混雑度の低い電車を使った経路の情報を取得することができる。従って、ユーザは、時間に余裕のある場合など、混雑度の低い電車を選択して乗車することができるので、比較的快適に移動できる。例えば、先発の電車は最も早く到着駅に到着するが、次発の電車であれば、さらに空いている車両、確実に座れる車両がある場合がある。このような場合でも、到着希望時刻までに到着することが確実であれば、ユーザは、次発の電車を選択することができる。次発が各駅停車で、その後に出発する急行電車に抜かされ遅く到着する場合でも、到着希望時刻までに到着することが確実であれば、ユーザは、次発の電車を選択することができる。
【００７２】
また、情報提供装置１が、電車の混雑度を考慮して電車の経路を案内することにより、電車の混雑度の偏りを低減することができる。これにより、情報提供装置１は、電車の定時運行を支援することができる。また、実施の形態に係る情報提供装置１は、期間、時間帯、車両による混雑の傾向を把握し、ユーザに通知することにより、運用の改善などを図ることができる。
【００７３】
以上説明した実施の形態に係る情報提供装置は、鉄道の混雑度を適切に提供することができる。
【００７４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７５】
１  情報提供装置
２  業務端末
３  混雑度提供装置
４  表示板
５  ユーザ端末
６  通信ネットワーク
７  電車
８  情報提供システム
１０  記憶装置
１１  混雑度データ
１２  実績混雑度データ
１３  予想混雑度データ
１４  検索条件データ
１５  経路時刻表データ
１６  検索結果データ
２０  中央処理制御装置
２１  収集手段
２２  表示板出力手段
２３  検索条件取得手段
２４  経路検索手段
２５  検索結果送信手段
【図１】
2013035411.tif 000003
【図２】
2013035411.tif 000004
【図３】
2013035411.tif 000005
【図４】
2013035411.tif 000006
【図５】
2013035411.tif 000007
【図６】
2013035411.tif 000008
【図７】
2013035411.tif 000009
【図８】
2013035411.tif 000010
【図９】
2013035411.tif 000011
【図１０】
2013035411.tif 000012
【手続補正書】
【提出日】平成24年7月24日(2012.7.24)
【手続補正１】
【補正対象書類名】明細書
【補正対象項目名】００２２
【補正方法】変更
【補正の内容】
【００２２】
収集手段２１は、混雑度データ１１を取得し、取得した混雑度データ１１を記憶装置１０に記憶する。この混雑度データ１１は、電車の識別子と、当該電車の混雑度とを対応づけたデータである。混雑度データ１１は、電車の識別子および電車の車両の識別子に、混雑度が対応づけられても良い。混雑度データ１１は、電車７から取得した混雑度を含む実績混雑度データ１２と、運行予定の電車の混雑度を含む予想混雑度データ１３と、を含む。なお、実施の形態において混雑度提供装置３が電車７の混雑度を算出し、情報提供装置１は、混雑度提供装置３から電車７の混雑度を取得する場合を説明する。
【手続補正２】
【補正対象書類名】明細書
【補正対象項目名】００２５
【補正方法】変更
【補正の内容】
【００２５】
このように、実施の形態に係る混雑度データ１１は、実績混雑度データ１２および予想混雑度データを含む。従って、実施の形態に係る情報提供装置１は、ラッシュ時や輸送障害の発生時など、時々刻々と変化する混雑状況に対応した混雑度をリアルタイムに提供するとともに、予想された混雑度も提供することができる。また、混雑度提供装置３から電車の各座席の着席状況を取得した場合、実績混雑度データ１２および予想混雑度データ１３には、座席に着席可能か否かを示すデータが含まれる。その場合情報提供装置１は、座席に着席可能か否かも併せて、出力することもできる。
【手続補正３】
【補正対象書類名】明細書
【補正対象項目名】００２９
【補正方法】変更
【補正の内容】
【００２９】
表示板出力手段２２は、表示板４に表示する電車の混雑度について、実績の混雑度を取得可能な場合、実績混雑度データ１２から実績に基づく電車の混雑度を取得する。一方、実績の混雑度を取得できなかった場合、表示板出力手段２２は、予想混雑度データ１３から予想に基づく電車の混雑度を取得する。例えば、表示板４が設置された駅が、電車の始発駅である場合、この電車の混雑度は、予想混雑度データ１３から出力される。また、表示板４に表示される電車が既に運行している場合、この電車の混雑度は、実績混雑度データ１２から出力される。
【手続補正４】
【補正対象書類名】明細書
【補正対象項目名】００３９
【補正方法】変更
【補正の内容】
【００３９】
経路検索手段２４は、経路時刻表データ１５を参照して、出発駅から到着駅まで移動する経路を出力する。経路時刻表データ１５は、電車ネットワークに関するデータと、電車時刻表に関するデータを含む。電車ネットワークに関するデータは、電車の路線、路線上の駅、乗換可能な駅および路線などである。電車時刻表に関するデータは、電車の識別子、路線、停車駅、到着時刻などを対応づけたデータである。経路検索手段２４は、既存のアルゴリズムに基づいて、経路時刻表データ１５を参照し、検索条件データ１４に合致する経路を出力する。実施の形態において、経路検索のための具体的な手法は、問わない。
【手続補正５】
【補正対象書類名】明細書
【補正対象項目名】００６７
【補正方法】変更
【補正の内容】
【００６７】
図９は、図７と同様に、ユーザが検索条件を入力する条件入力画面Ｐ２０１の一例である。図９に示す条件入力画面Ｐ２０１の各項目は、図７と同様であるが、条件が異なる。図９に示す条件入力画面Ｐ２０１には、優先項目として、料金および混雑度がチェックされている。従って、図９に示すような条件入力画面Ｐ２０１において検索ボタンが押下されると、情報提供装置１は、料金が安く、混雑度の低い３件の乗換候補データを、検索結果データ１６として出力する。情報提供装置１は、検索結果データ１６に基づいて図１０に示す検索結果表示画面Ｐ２０２を生成して、ユーザ端末５に表示する。
【手続補正６】
【補正対象書類名】図面
【補正対象項目名】図６
【補正方法】変更
【補正の内容】
【図６】
2013035411.tif 000013